(57)【要約】【課題】受取人への荷物の受け渡しの機会を有効に活用することが可能な技術を提供する。【解決手段】外部から視認可能に配置された表示装置を有し、荷物を積載して配送する車両に関する情報処理を実行する情報処理システムであって、登録ユーザの嗜好情報を含む登録ユーザ情報と、荷物の配送元の属性情報と、を記憶する記憶部と、制御部と、を備える。そして、制御部は、車両が配送した荷物を受取人へ受け渡す受け渡し時において、荷物の受取人が記憶部に記憶された登録ユーザであるか否かを判定し、受取人が登録ユーザである場合には該登録ユーザの嗜好情報及び属性情報に関連する広告情報を取得し、受取人が登録ユーザでない場合には属性情報に関連する広告情報を取得し、取得した広告情報を表示装置に表示させる。【選択図】図３
2020144704.tif 000002
【特許請求の範囲】
【請求項１】
外部から視認可能に配置された表示装置を有し、荷物を積載して配送する車両に関する情報処理を実行する情報処理システムであって、
登録ユーザの嗜好情報を含む登録ユーザ情報と、前記荷物の配送元の属性情報と、を記憶する記憶部と、
前記車両が配送した前記荷物を受取人へ受け渡す受け渡し時において、
前記荷物の受取人が前記記憶部に記憶された前記登録ユーザであるか否かを判定することと、
前記受取人が前記登録ユーザである場合には該登録ユーザの嗜好情報及び前記属性情報に関連する広告情報を取得することと、
前記受取人が前記登録ユーザでない場合には前記属性情報に関連する広告情報を取得することと、
取得した前記広告情報を前記表示装置に表示させることと、
を実行する制御部と、
を備える情報処理システム。
【発明の詳細な説明】
【技術分野】
【０００１】
本発明は、荷物を配送する車両に関する情報処理を実行する情報処理システムに関する。
【背景技術】
【０００２】
特許文献１には、配送先の宅配ボックスへ荷物を移動体により配送する宅配システムに関する技術が開示されている。
【先行技術文献】
【特許文献】
【０００３】
【特許文献１】特開２０１８−１７７４３９号公報
【発明の概要】
【発明が解決しようとする課題】
【０００４】
本発明は、受取人への荷物の受け渡しの機会を有効に活用することが可能な技術を提供することを目的とする。
【課題を解決するための手段】
【０００５】
本発明に係る情報処理システムは、
外部から視認可能に配置された表示装置を有し、荷物を積載して配送する車両に関する情報処理を実行する情報処理システムであって、
登録ユーザの嗜好情報を含む登録ユーザ情報と、前記荷物の配送元の属性情報と、を記憶する記憶部と、
前記車両が配送した前記荷物を受取人へ受け渡す受け渡し時において、
前記荷物の受取人が前記記憶部に記憶された前記登録ユーザであるか否かを判定することと、
前記受取人が前記登録ユーザである場合には該登録ユーザの嗜好情報及び前記属性情報に関連する広告情報を取得することと、
前記受取人が前記登録ユーザでない場合には前記属性情報に関連する広告情報を取得することと、
取得した前記広告情報を前記表示装置に表示させることと、
を実行する制御部と、
を備える。
【発明の効果】
【０００６】
本発明によれば、受取人への荷物の受け渡しの機会を有効に活用することができる。
【図面の簡単な説明】
【０００７】
【図１】実施形態に係る情報処理システムの概略構成を示す図である。
【図２】実施形態に係る情報処理システムを構成する車両および管理サーバそれぞれの機能構成の一例を概略的に示すブロック図である。
【図３】実施形態に係る情報処理システムの情報処理フローを示すフローチャートである。
【発明を実施するための形態】
【０００８】
本発明に係る情報処理システムは、荷物を積載して配送する車両に関する情報処理を実行する情報処理システムである。ここで、車両は、荷物を積載するスペースを有し、配送
先の住所等に荷物を配送する車両である。荷物は、受取人が通信販売等で注文した商品が梱包された荷物である。さらに、該車両は、外部から視認可能に配置された表示装置を有している。表示装置は、静止画や動画像が表示可能である。表示装置には、液晶表示装置や有機ＥＬ表示装置等が用いられる。
【０００９】
また、本発明に係る情報処理システムは、登録ユーザの嗜好情報を含む登録ユーザ情報と、荷物の配送元の属性情報と、を記憶する記憶部を備えている。登録ユーザ情報には、登録ユーザの氏名及び該登録ユーザが任意に設定可能な荷物の配送先住所等が含まれている。ここで、嗜好情報には登録ユーザの買い物履歴や通信販売サイトの閲覧履歴等に基づく登録ユーザの好みの商品等の情報が含まれる。情報処理システムは、登録ユーザの所有する通信端末とネットワークを介して通信を行い、登録ユーザの買い物履歴や通信販売サイトの閲覧履歴を収集してこれらの履歴に含まれる商品情報を嗜好情報として記憶部に記憶する。なお、嗜好情報は、登録ユーザの通信端末から情報処理システムに送信されて記憶部に記憶されてもよい。また、配送元の属性情報には、配送元の店舗名やその店舗における取り扱い商品のジャンルの情報等が含まれる。
【００１０】
ここで、記憶部は、車両を管理する管理サーバに設けられた記憶部のことである。なお、記憶部は、車両に設けられた記憶部であってもよい。
【００１１】
また、本発明に係る情報処理システムは、前記車両が配送した前記荷物を受取人へ受け渡す受け渡し時において、荷物の受取人が記憶部に記憶された登録ユーザであるか否かを判定することと、受取人が登録ユーザである場合には該登録ユーザの嗜好情報及び属性情報に関連する広告情報を取得することと、受取人が登録ユーザでない場合には属性情報に関連する広告情報を取得することと、取得した広告情報を表示装置に表示させることと、を実行する制御部を備える。
【００１２】
ここで、制御部は、車両を管理する管理サーバに設けられた制御部のことである。なお、制御部は、車両に設けられた制御部であってもよい。
【００１３】
受取人への荷物の受け渡し時において、制御部は、受取人が登録ユーザであるか否かを判定する。受取人が登録ユーザである場合には、該受取人の嗜好情報を含む登録ユーザ情報が上記記憶部に記憶されているので、制御部は、該嗜好情報と属性情報に関連する広告情報を取得する。一方、受取人が登録ユーザでない場合には、該受取人の嗜好情報を含む登録ユーザ情報が上記記憶部に記憶されていないので、制御部は、属性情報に関連する広告情報を取得する。そして、制御部は、取得した広告情報を車両が有する表示装置に表示させる。
【００１４】
上記によれば、荷物の受け渡しの機会に受取人に対して広告情報を表示することができる。受取人が登録ユーザである場合には受取人の嗜好情報及び荷物の配送元の属性情報に関連する広告情報を取得し、受取人が登録ユーザでない場合には荷物の配送元の属性情報に関連する広告情報を取得するので、受取人が関心のある広告情報を取得して該受取人に対して表示することができる。したがって、受取人への荷物の受け渡しの機会を有効に活用することができる。
【００１５】
以下、本発明の具体的な実施形態について図面に基づいて説明する。本実施形態に記載されている構成部品の寸法、材質、形状、その相対配置等は、特に記載がない限りは発明の技術的範囲をそれらのみに限定する趣旨のものではない。
【００１６】
＜実施形態＞
（システムの概略）
図１は、本実施形態に係る情報処理システムの概略構成を示す図である。情報処理システム１は、自律走行可能な車両１００と、車両管理サーバ２００と、を含んで構成される。情報処理システム１においては、車両１００と、車両管理サーバ２００とが、ネットワークＮ１によって相互に接続される。ネットワークＮ１には、例えば、インターネット等の世界規模の公衆通信網であるＷＡＮ（Ｗｉｄｅ  Ａｒｅａ  Ｎｅｔｗｏｒｋ）や、携帯電話等の電話通信網が採用されてもよい。さらに、ネットワークＮ１には、店舗の広告情報を配信する広告情報サーバ３００と、荷物を受け取る受取人の所有するスマートフォンやタブレットコンピュータ等の通信端末４００が接続されている。
【００１７】
車両１００は、表示装置１１０を有している。表示装置１１０は、車両１００の外壁（例えば、外側面）に車両１００の外部からその表示画面が視認可能となるように配置されている。表示装置１１０は、動画や静止画像を表示可能である。表示装置１１０には、液晶表示装置や有機ＥＬ表示装置等の公知の表示装置を採用することができる。詳細については後述するが表示装置１１０には、広告情報が表示される。
【００１８】
車両管理サーバ２００は、車両１００の走行を管理するサーバである。車両管理サーバ２００は、一般的なコンピュータを含んで構成される。車両管理サーバ２００を構成するコンピュータは、ＣＰＵやＤＳＰ等のプロセッサ２１０と、読み込み専用メモリ（ＲＯＭ）、ランダムアクセスメモリ（ＲＡＭ）等の主記憶部２２０と、ＥＰＲＯＭ、ハードディスクドライブ（ＨＤＤ）、リムーバブルメディア等の補助記憶部２３０と、を備えている。ここで、リムーバブルメディアは、例えば、ＵＳＢメモリやＳＤカード等のフラッシュメモリ、あるいは、ＣＤ−ＲＯＭやＤＶＤディスク、ブルーレイディスクのようなディスク記録媒体である。
【００１９】
車両管理サーバ２００において、補助記憶部２３０には、オペレーティングシステム（ＯＳ）、各種プログラム、各種情報テーブル等が格納されている。また、車両管理サーバ２００において、プロセッサ２１０が、補助記憶部２３０に記憶されたプログラムを主記憶部２２０にロードして実行することによって、後述するような各種の機能を実現することができる。ただし、車両管理サーバ２００における一部または全部の機能はＡＳＩＣやＦＰＧＡのようなハードウェア回路によって実現されてもよい。なお、車両管理サーバ２００は、必ずしも単一の物理的構成によって実現される必要はなく、互いに連携する複数台のコンピュータによって構成されてもよい。
【００２０】
車両管理サーバ２００は、車両１００の走行計画を生成するとともに、生成した走行計画を、ネットワークＮ１を介して該車両１００に送信する。走行計画には、車両１００の走行経路、および、該走行経路を該車両１００が走行する際の走行スケジュール（タイムスケジュール）に関するデータが含まれる。車両１００は、車両管理サーバ２００から送信される走行計画に沿って自律走行を行う。
【００２１】
ここで、車両１００は、荷物を積載して配送する。車両１００は、荷物を積載するスペースを有し、車両管理サーバ２００から送信される走行計画に沿って、荷物を配送先の住所に配送する。
【００２２】
（システム構成）
次に、本実施形態に係る情報処理システム１を構成する、車両１００および車両管理サーバ２００それぞれの機能構成について図２に基づいて説明する。図２は、本実施形態に係る情報処理システム１を構成する車両１００および車両管理サーバ２００それぞれの機能構成の一例を概略的に示すブロック図である。
【００２３】
（車両）
上述したように、車両１００は、車両管理サーバ２００から送信される走行計画に沿って自律走行を行う自律走行車両である。車両１００は、通信部１０１、記憶部１０２、センサ１０３、位置情報取得部１０４、駆動部１０５、入力部１０６、表示装置１１０および制御部１０７を含んで構成される。なお、車両１００は、モータを原動機とする電気自動車である。ただし、車両１００の原動機は、電動モータに限定されるものではなく、内燃機関であってもよい。また、車両１００は、原動機としてモータおよび内燃機関の両方を有するハイブリッド車両であってもよい。
【００２４】
通信部１０１は、車両１００をネットワークＮ１に接続するための通信装置である。通信部１０１は、例えば３Ｇ（３ｒｄ  Ｇｅｎｅｒａｔｉｏｎ）やＬＴＥ（Ｌｏｎｇ  Ｔｅｒｍ  Ｅｖｏｌｕｔｉｏｎ）等の移動体通信サービスを利用して、ネットワークＮ１経由で、車両管理サーバ２００、広告情報サーバ３００、通信端末４００を含む他の装置と通信を行うことができる。制御部１０７は、車両管理サーバ２００から送信される走行計画を通信部１０１を介して受信する処理を行う。なお、通信部１０１は、他の車両と車々間通信を行うための通信装置をさらに有していてもよい。
【００２５】
記憶部１０２は、情報を記憶する装置であり、磁気ディスクやフラッシュメモリ等の記憶媒体により構成される。記憶部１０２には、例えば地図情報が記憶されている。また、記憶部１０２には、車両管理サーバ２００から受信した走行計画等が記憶される。
【００２６】
センサ１０３は、車両１００の周囲の状況をセンシングするための装置である。具体的には、センサ１０３は、ステレオカメラ、レーザスキャナ、ＬＩＤＡＲ、レーダ等を含んで構成される。センサ１０３が取得した、車両１００の周囲の状況に関する情報は、制御部１０７に送信される。位置情報取得部１０４は、車両１００の現在位置を取得する装置であり、具体的にはＧＰＳ受信器などを含んで構成される。位置情報取得部１０４が取得した車両１００の現在位置に関する情報は、制御部１０７に送信される。
【００２７】
入力部１０６は、荷物の受取人が認証操作時にパスワードや二次元コード等を入力するために設けられている。認証操作の詳細については後述する。入力部１０６は、タッチパネル式入力装置や二次元コードリーダー等を含んで構成される。入力部１０６は、受取人が操作可能なように車両１００の外壁部であって、表示装置１１０の近傍に配置されている。
【００２８】
制御部１０７は、車両１００を制御するための演算処理を行う機能を有する。制御部１０７は、例えば、マイクロコンピュータによって構成される。制御部１０７は、機能モジュールとして、環境検出部１０７１および走行制御部１０７２、を有している。各機能モジュールは、制御部１０７が有するＲＯＭ等の記憶部に記憶されたプログラムを、ＣＰＵ等のプロセッサによって実行することで実現してもよい。また、一部または全部の機能はＡＳＩＣやＦＰＧＡのようなハードウェア回路によって実現されてもよい。
【００２９】
環境検出部１０７１は、センサ１０３が取得した情報に基づいて、車両１００の周囲の環境を検出する。例えば、環境検出部１０７１は、自車両の周囲に存在する他車両等の物体（人や動物を含む）を検出する。また、環境検出部１０７１は、道路における車線の数や位置、道路の構造、道路標識等の、車両１００の自律走行に必要となる種々の対象を検出する。また、環境検出部１０７１は、検出した物体をトラッキングしてもよい。この場合、例えば、１ステップ前に検出した物体の座標と、現在の該物体の座標との差分から、該物体の相対速度を求めてもよい。
【００３０】
また、走行制御部１０７２は、記憶部１０２に記憶された走行計画、位置情報取得部１０４が取得した車両１００の位置情報、および、環境検出部１０７１が検出した周囲環境
のデータに基づいて、車両１００の走行を制御する。例えば、走行制御部１０７２は、走行計画に含まれる走行経路上を該走行計画に含まれる走行スケジュールに沿って車両１００を走行させる。また、環境検出部１０７１によって、車両１００が衝突する可能性がある物体が検出された場合、走行制御部１０７２が、該物体との衝突を回避するよう車両１００を走行させる衝突回避制御を実行する。なお、上記のように車両１００を自律走行させる方法については、公知の方法を採用することができる。
【００３１】
駆動部１０５は、原動機であるモータ、および、車両１００を走行させるための機構（例えば、インバータ、ブレーキ、およびステアリング機構）を含んで構成される。駆動部１０５は、走行制御部１０７２が車両１００の走行を制御するために生成した指令に基づいて該車両１００を走行させる。これによって、車両１００の自律走行が実現される。
【００３２】
なお、車両１００は、必ずしも常時自律走行を行う車両でなくてもよい。例えば、車両１００は、自動運転モードと手動運転モードとを切り替え可能な車両であってもよい。
【００３３】
（車両管理サーバ）
車両管理サーバ２００は、通信部２０１、記憶部２０２、および制御部２０３、を含んで構成される。通信部２０１は、車両管理サーバ２００をネットワークＮ１に接続するための通信装置である。通信部２０１は、例えばＬＡＮ（Ｌｏｃａｌ  Ａｒｅａ  Ｎｅｔｗｏｒｋ）インターフェースボードや、無線通信のための無線通信回路を含んで構成される。制御部２０３は、通信部２０１を介して車両１００に対して走行計画等を送信する処理を行う。
【００３４】
記憶部２０２には、登録ユーザの嗜好情報を含む登録ユーザ情報と、荷物の配送元の属性情報とが記憶されている。登録ユーザ情報には、各登録ユーザの氏名や荷物の配送先の住所情報が含まれている。嗜好情報には登録ユーザの買い物履歴や通信販売サイトの閲覧履歴等に基づく登録ユーザの好みの商品情報等が含まれる。車両管理サーバ２００は、登録ユーザの所有する通信端末４００とネットワークＮ１を介して通信を行い、登録ユーザの買い物履歴や通信販売サイトの閲覧履歴を収集してこれらの履歴に含まれる商品情報を嗜好情報として記憶部２０２に記憶する。例えば、通信販売での靴の購入履歴、通信販売サイトでの冬物衣料に関するページの閲覧履歴がある場合には、靴や冬物衣料の商品情報が嗜好情報として記憶される。なお、嗜好情報は、登録ユーザの通信端末４００から車両管理サーバ２００に送信されて記憶部２０２に記憶されてもよい。
【００３５】
制御部２０３は、車両管理サーバ２００を制御するための演算処理を行う機能を有する。制御部２０３は、プロセッサ２１０によって実現することができる。また、制御部２０３は、機能モジュールとして、走行計画生成部２０３１を有している。走行計画生成部２０３１は、車両１００の走行計画を生成するための走行計画生成処理を実行する。
【００３６】
ここで、車両１００は、走行計画に従って荷物を受取人に配送する。例えば、受取人は、通信端末４００でネットワークＮ１を介して車両管理サーバ２００と通信を行い、荷物の配送指定時間を該車両管理サーバ２００に送信し、車両管理サーバ２００は、受取人の指定した配送時間帯及び配送先住所に該荷物を配送するように走行計画を生成し、車両１００は該走行計画に基づいて荷物を配送する。走行計画には、受取人の氏名、配送先住所、配送時間帯、及び認証操作に用いられる認証パスワード情報が含まれている。車両管理サーバ２００はネットワークＮ１を介して受取人の通信端末４００に認証パスワードを受け渡し時によりも前に送信する。認証パスワードは、文字や数字を含んで構成されていてもよいし、二次元コードで構成されていてもよい。
【００３７】
（情報処理）
次に、本実施形態に係る情報処理システム１での情報処理について図３に基づいて説明する。図３は、情報処理フローを示すフローチャートである。この情報処理は、車両１００が配送した荷物を受取人へ受け渡す受け渡し時において実行される。図３に示す情報処理では、先ずＳ１０１において、受取人が登録ユーザであるか否かが判定される。ここで、例えば、車両管理サーバ２００からユーザ端末に事前に送信された認証パスワードを車両１００の入力部１０６に入力することで、該荷物の受取人であることを認証する認証操作が行われる。この際、車両１００の制御部１０７は、記憶部１０２に記憶されている走行計画に含まれる受取人の氏名及び配送先住所の情報を取得し、車両管理サーバ２００に該情報を送信する。車両管理サーバ２００の制御部２０３は、該情報に基づいて受取人が記憶部０２２に記憶された登録ユーザであるか否かを判定する。なお、登録ユーザ情報が記憶部１０２に記憶されており、受取人が記憶部１０２に記憶されている登録ユーザであるか否かを車両１００の制御部１０７が判定してもよい。
【００３８】
なお、車両１００は、電子ロック等で施錠可能であって複数の荷物を個別に積載する積載スペースを備えている。受取人が、認証操作を行うことで積載スペースの電子ロックが解除され、受取人に該受取人宛ての荷物を受け渡すことができる。
【００３９】
Ｓ１０１において肯定判定された場合には、次にＳ１０２の処理が実行される。一方、Ｓ１０１において否定判定された場合には、次にＳ１０３の処理が実行される。
【００４０】
Ｓ１０２では、登録ユーザの嗜好情報及び配送元の属性情報に基づいて広告情報が取得される。登録ユーザの嗜好情報には、登録ユーザの好みの商品等の情報が含まれる。配送元の属性情報には、配送元の店舗名やその店舗における取り扱い商品のジャンルの情報等が含まれる。例えば、嗜好情報に靴の情報が含まれ、属性情報に荷物に含まれる商品の購入先の店舗情報が含まれている場合、広告情報として該店舗が販売する靴のセール情報や新商品情報が取得される。
【００４１】
一方、Ｓ１０３では、配送元の属性情報に基づいて広告情報が取得される。受取人が登録ユーザでない場合には登録ユーザの嗜好情報を取得することができないので、配送元の属性情報のみに基づいて広告情報が取得される。例えば、属性情報に荷物に含まれる商品の購入先の店舗情報が含まれている場合、広告情報として該店舗が販売する商品のセール情報や新商品情報が取得される。
【００４２】
Ｓ１０２及びＳ１０３において、車両管理サーバ２００は、ネットワークＮ１を介して広告情報サーバ３００と通信を行い、上記の広告情報を取得する。ここで、広告情報サーバ３００は、店舗が設置した該店舗の広告情報を配信するサーバであってもよいし、複数の店舗の広告情報が集められた広告配信用サーバであってもよい。なお、複数の広告情報が予め記憶部２０２に記憶されており、車両管理サーバ２００は、嗜好情報や属性情報に基づいて記憶部２０２に記憶された複数の広告情報から一の広告情報を取得してもよい。
【００４３】
Ｓ１０４では、広告情報を車両１００の表示装置１１０に表示させる。車両管理サーバ２００は、車両１００に広告情報を送信する。車両１００の制御部１０７は、受信した広告情報を表示装置１１０に表示する。これにより、広告情報が受取人に対して表示される。車両１００は、広告情報の表示終了時に、受取人が広告情報を視聴したことを確認する視聴確認操作を該受取人に要求してもよい。例えば、車両１００の入力部１０６に対する所定操作を受取人に要求し、該受取人が該所定操作を行うことで視聴確認操作が行われる。
【００４４】
Ｓ１０５では、登録ユーザにポイントを付与する処理が実行される。ここで、ポイントとは、荷物の配送元の店舗での次回以降の商品購入時や車両１００での配送サービスの配
送料に使用できるポイントである。例えば、車両管理サーバ２００の制御部２０３は、登録ユーザに付与したポイント情報を記憶部２０２に記憶する。付与したポイントが配送元の店舗で使用できるポイントである場合には、各店舗の通信販売サイトを提供するサーバにも該ポイントに関する情報が送信される。なお、受取人が上記視聴確認操作を行った場合にのみ受取人にポイントが付与されてもよい。受取人が登録ユーザでない場合にはＳ１０５の処理は実行されない。Ｓ１０５の処理が終了すると当該情報処理は終了される。
【００４５】
［本実施形態の有利な効果］
上記によれば、荷物の受け渡しの機会に受取人に対して広告情報を表示することができる。受取人が登録ユーザである場合には受取人の嗜好情報及び荷物の配送元の属性情報に関連する広告情報を取得し、受取人が登録ユーザでない場合には荷物の配送元の属性情報に関連する広告情報を取得するので、受取人が関心のある広告情報を該受取人に対して表示することができる。したがって、受取人への荷物の受け渡しの機会を有効に活用することができる。
【００４６】
＜その他の実施形態＞
上記の実施形態はあくまでも一例であって、本発明はその要旨を逸脱しない範囲内で適宜変更して実施し得る。また、本開示において説明した処理や手段は、技術的な矛盾が生じない限りにおいて、自由に組み合わせて実施することができる。
【００４７】
また、１つの装置が行うものとして説明した処理が、複数の装置によって分担して実行されてもよい。あるいは、異なる装置が行うものとして説明した処理が、１つの装置によって実行されても構わない。コンピュータシステムにおいて、各機能をどのようなハードウェア構成（サーバ構成）によって実現するかは柔軟に変更可能である。
【００４８】
本発明は、上記の実施形態で説明した機能を実装したコンピュータプログラムをコンピュータに供給し、当該コンピュータが有する１つ以上のプロセッサがプログラムを読み出して実行することによっても実現可能である。このようなコンピュータプログラムは、コンピュータのシステムバスに接続可能な非一時的なコンピュータ可読記憶媒体によってコンピュータに提供されてもよいし、ネットワークを介してコンピュータに提供されてもよい。非一時的なコンピュータ可読記憶媒体は、例えば、磁気ディスク（フロッピー（登録商標）ディスク、ハードディスクドライブ（ＨＤＤ）等）、光ディスク（ＣＤ−ＲＯＭ、ＤＶＤディスク、ブルーレイディスク等）など任意のタイプのディスク、読み込み専用メモリ（ＲＯＭ）、ランダムアクセスメモリ（ＲＡＭ）、ＥＰＲＯＭ、ＥＥＰＲＯＭ、磁気カード、フラッシュメモリ、光学式カード、電子的命令を格納するために適した任意のタイプの媒体を含む。
【符号の説明】
【００４９】
１・・・車両管理システム
１００・・車両
１０２、２０２・・記憶部
１０７、２０３・・制御部
１１０・・表示装置
２００・・車両管理サーバ
【図１】
2020144704.tif 000003
【図２】
2020144704.tif 000004
【図３】
2020144704.tif 000005